(57)【要約】【課題】右眼用画像および左眼用画像の表示にオーバードライブを適用した構成のもとで各画素に対する直流成分の印加を抑制する。【解決手段】駆動回路４０は、各表示期間Ｐ内の単位期間Ｕ1と単位期間Ｕ2とで各画素ＰIXの液晶素子ＣLに対する印加電圧が逆極性となるように、各表示期間Ｐ内の単位期間Ｕ1および単位期間Ｕ2の各々にて指定階調に応じた電圧を各画素ＰIXに印加する。ＯＤ（オーバードライブ）制御部５４は、各表示期間Ｐにおいて、当該表示期間Ｐでの表示画像と直前の表示期間Ｐでの表示画像とに応じた補正量のオーバードライブを各表示期間Ｐの単位期間Ｕ1および単位期間Ｕ2の各々にて駆動回路４０に実行させる。【選択図】図１
2013064920.tif 000002
【特許請求の範囲】
【請求項１】
右眼用画像と左眼用画像とを表示期間毎に交互に表示する電気光学装置であって、
複数の走査線と複数の信号線との各交差に対応して配置された複数の画素と、
前記各表示期間内の第１単位期間と第２単位期間とで前記各画素の印加電圧が逆極性となるように前記各表示期間内の前記第１単位期間および前記第２単位期間の各々にて指定階調に応じた電圧を前記各画素に印加する駆動回路と、
前記各表示期間において、当該表示期間での表示画像と直前の表示期間での表示画像とに応じた補正量のオーバードライブを前記各表示期間の前記第１単位期間および前記第２単位期間の各々にて前記駆動回路に実行させるオーバードライブ制御手段と
を具備する電気光学装置。
【請求項２】
前記駆動回路は、前記複数の走査線の各々を順次に選択するとともに選択状態の走査線に対応する各画素に指定階調に応じた電圧を印加し、
前記オーバードライブ制御手段は、前記複数の走査線のうち第１走査線に対応する画素と、前記第１走査線の選択後に選択される第２走査線に対応する画素とについて、一の表示期間での表示画像における指定階調と前記一の表示期間の直前の表示期間での表示画像における指定階調とが相等しい場合に、前記一の表示期間において、前記第２走査線に対応する画素のオーバードライブの補正量が、前記第２走査線に対応する画素のオーバードライブの補正量を上回るように、前記駆動回路による各画素のオーバードライブを制御する
請求項１の電気光学装置。
【請求項３】
前記複数の走査線の配列方向の各位置に対応する複数の調整値を記憶する記憶手段と、
前記記憶手段が記憶する複数の調整値の補間により前記各走査線に対応する調整値を生成する補間手段とを具備し、
前記オーバードライブ制御手段は、前記補間手段が生成した各調整値に応じて、前記各走査線に対応する画素のオーバードライブの補正量を調整する
請求項２の電気光学装置。
【請求項４】
前記オーバードライブ制御手段は、前記各表示期間の前記第１単位期間における前記各画素のオーバードライブの補正量が、当該表示期間のうち前記第１単位期間の経過後の前記第２単位期間における当該画素のオーバードライブの補正量を上回るように、前記駆動回路による各画素のオーバードライブを制御する
請求項１から請求項３の何れかの電気光学装置。
【請求項５】
請求項１から請求項４の何れかの電気光学装置を具備する電子機器。
【発明の詳細な説明】
【技術分野】
【０００１】
本発明は、観察者が立体感を知覚するように相互に視差が付与された右眼用画像と左眼用画像とを表示する技術に関する。
【背景技術】
【０００２】
右眼用画像と左眼用画像とを時分割で交互に表示するフレームシーケンシャル方式の立体視方法が従来から提案されている。例えば特許文献１に開示された技術では、図１０に示すように、右眼用画像の表示期間ＰRと左眼用画像の表示期間ＰLとが交互に設定される。各表示期間Ｐ（ＰR，ＰL）は２個の単位期間Ｕ（Ｕ1，Ｕ2）に区分され、表示画像に応じた電圧が単位期間Ｕ毎に各画素に印加される。印加電圧の極性を反転させる交流駆動が必要な液晶素子を各画素に利用した構成では、図１０に示すように、各画素の印加電圧が、例えば各表示期間Ｐの単位期間Ｕ1にて正極性に設定されるとともに単位期間Ｕ2にて負極性に設定される。
【先行技術文献】
【特許文献】
【０００３】
【特許文献１】特開２００９−２５４３６号公報
【発明の概要】
【発明が解決しようとする課題】
【０００４】
ところで、指定階調に応じた目標電圧を上回る過電圧を各画素に印加して液晶の応答遅延を補償するオーバードライブ（過電圧駆動）が従来から提案されている。例えば特許文献１の技術では、図１０に示すように、各表示期間Ｐのうち表示画像が直前の画像から更新される単位期間Ｕ1にてオーバードライブ（ＯＤ）を実行する構成（以下「対比例」という）が想定される。
【０００５】
しかし、対比例のもとでは、各表示期間Ｐのうち単位期間Ｕ1内でオーバードライブにより各画素に印加される正極性の電圧と、オーバードライブを実行しない単位期間Ｕ2にて画素に印加される負極性の電圧とが相違するから、表示期間内で各画素に直流成分が印加され、直流成分の印加に起因した各画素（液晶素子）の特性劣化が発生し得るという問題がある。以上の事情を考慮して、本発明は、右眼用画像および左眼用画像の表示にオーバードライブを適用した構成のもとで各画素に対する直流成分の印加を抑制することを目的とする。
【課題を解決するための手段】
【０００６】
以上の課題を解決するために、本発明の電気光学装置は、右眼用画像と左眼用画像とを表示期間毎に交互に表示する電気光学装置であって、複数の走査線と複数の信号線との各交差に対応して配置された複数の画素と、各表示期間内の第１単位期間と第２単位期間とで各画素の印加電圧が逆極性となるように各表示期間内の第１単位期間および第２単位期間の各々にて指定階調に応じた電圧を各画素に印加する駆動回路と、各表示期間において、当該表示期間での表示画像と直前の表示期間での表示画像とに応じた補正量のオーバードライブを各表示期間の第１単位期間および第２単位期間の各々にて駆動回路に実行させるオーバードライブ制御手段とを具備する。以上の構成では、表示期間内で各画素の印加電圧が逆極性に設定される第１単位期間および第２単位期間の双方において各画素のオーバードライブが実行される。したがって、例えば第１単位期間のみでオーバードライブを実行する対比例と比較して、第１単位期間と第２単位期間とにおける各画素の印加電圧の相違が低減され、直流成分の印加に起因した画素の特性劣化を抑制できるという利点がある。
【０００７】
本発明の好適な態様において、駆動回路は、複数の走査線の各々を順次に選択するとともに選択状態の走査線に対応する各画素に指定階調に応じた電圧を印加し、オーバードライブ制御手段は、複数の走査線のうち第１走査線に対応する画素と、第１走査線の選択後に選択される第２走査線に対応する画素とについて、一の表示期間での表示画像における指定階調と一の表示期間の直前の表示期間での表示画像における指定階調とが相等しい場合に、一の表示期間において、第２走査線に対応する画素のオーバードライブの補正量が、第２走査線に対応する画素のオーバードライブの補正量を上回るように、駆動回路による各画素のオーバードライブを制御する。以上の態様では、第２走査線に対応する画素のオーバードライブの補正量が、第２走査線の選択前に選択される第１走査線に対応する画素のオーバードライブの補正量を上回るから、一の表示期間での指定階調と直前の表示期間での指定階調とが相等しい複数の画素についてオーバードライブによる補正量が相等しい電圧に設定される構成と比較して、表示画像のクロストークが観察者に知覚され難いという利点がある。なお、以上の態様の具体例は例えば第２実施形態として後述される。
【０００８】
本発明の好適な態様の電気光学装置は、複数の走査線の配列方向の各位置に対応する複数の調整値を記憶する記憶手段と、記憶手段が記憶する複数の調整値の補間により各走査線に対応する調整値を生成する補間手段とを具備し、オーバードライブ制御手段は、補間手段が生成した各調整値に応じて、各走査線に対応する画素のオーバードライブの補正量を調整する。以上の態様では、記憶手段に記憶された複数の調整値の補間により各走査線に対応する調整値が生成されるから、例えば全部の走査線に対応する調整値を記憶手段に保持する構成と比較して記憶手段の容量が削減されるという利点がある。
【０００９】
本発明の好適な態様において、オーバードライブ制御手段は、各表示期間の第１単位期間における各画素のオーバードライブの補正量が、当該表示期間のうち第１単位期間の経過後の第２単位期間における当該画素のオーバードライブの補正量を上回るように、駆動回路による各画素のオーバードライブを制御する。以上の態様では、第１単位期間でのオーバードライブの補正量が第２単位期間でのオーバードライブの補正量を上回るから、第１単位期間と第２単位期間とでオーバードライブの補正量を同等に設定した場合と比較して、表示画像のクロストークが観察者に知覚され難いという利点がある。なお、以上の態様の具体例は例えば第３実施形態として後述される。
【００１０】
本発明の好適な態様は、右眼用シャッターと左眼用シャッターとを含む立体視用眼鏡で立体視される右眼用画像および左眼用画像を表示する電気光学装置であって、各表示期間のうち第１単位期間の少なくとも一部を含む期間にて右眼用シャッターおよび左眼用シャッターの双方を閉状態に制御し、右眼用画像の表示期間のうち第２単位期間の少なくとも一部を含む期間にて右眼用シャッターを開状態に制御するとともに左眼用シャッターを閉状態に制御し、左眼用画像の表示期間のうち第２単位期間の少なくとも一部を含む期間にて左眼用シャッターを開状態に制御するとともに右眼用シャッターを閉状態に制御する眼鏡制御回路を具備する。
【００１１】
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００１２】
【図１】本発明の第１実施形態に係る立体視表示装置のブロック図である。
【図２】画素回路の回路図である。
【図３】第１実施形態の動作の説明図である。
【図４】処理回路のブロック図である。
【図５】第２実施形態における処理回路のブロック図である。
【図６】調整値の補間の説明図である。
【図７】電子機器（投射型表示装置）の斜視図である。
【図８】電子機器（パーソナルコンピュータ）の斜視図である。
【図９】電子機器（携帯電話機）の斜視図である。
【図１０】対比例における立体視動動作の説明図である。
【発明を実施するための形態】
【００１３】
＜第１実施形態＞
図１は、本発明の第１実施形態に係る立体視表示装置１００のブロック図である。立体視表示装置１００は、観察者に立体感を知覚させる立体視画像をアクティブシャッター方式で表示する電子機器であり、電気光学装置１０と立体視用眼鏡２０とを具備する。電気光学装置１０は、相互に視差が付与された右眼用画像ＧRと左眼用画像ＧLとを時分割で交互に表示する。
【００１４】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００１５】
図１の電気光学装置１０は、電気光学パネル１２と制御回路１４とを具備する。電気光学パネル１２は、複数の画素（画素回路）ＰIXが配列された画素部３０と、各画素ＰIXを駆動する駆動回路４０とを含む。画素部３０には、ｘ方向に延在するＭ本の走査線３２と、ｘ方向に交差するｙ方向に延在するＮ本の信号線３４とが形成される（ＭおよびＮは自然数）。画素部３０内の複数の画素ＰIXは、走査線３２と信号線３４との各交差に対応して縦Ｍ行×横Ｎ列の行列状に配列される。
【００１６】
図２は、各画素ＰIXの回路図である。図２に示すように、各画素ＰIXは、液晶素子ＣLと選択スイッチＳWとを含む。液晶素子ＣLは、相互に対向する画素電極６２および共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLと信号線３４との間に介在して両者の電気的な接続（導通／絶縁）を制御する。したがって、画素ＰIX（液晶素子ＣL）は、選択スイッチＳWがオン状態に制御されたときの信号線３４の電位（後述の階調電位Ｘ[n]）に応じた階調を表示する。なお、液晶素子ＣLに並列に補助容量を接続した構成も採用され得る。
【００１７】
図１の制御回路１４は、電気光学パネル１２を制御する表示制御回路１４２と、立体視用眼鏡２０を制御する眼鏡制御回路１４４とを具備する。表示制御回路１４２は、右眼用画像ＧRと左眼用画像ＧLとが時分割で交互に画素部３０に表示されるように駆動回路４０を制御する。例えば表示制御回路１４２は、画素部３０内の各画素ＰIXの階調を指定する画像信号ＶIDを生成して駆動回路４０に供給する。なお、表示制御回路１４２と眼鏡制御回路１４４とを単体の集積回路に搭載した構成や、表示制御回路１４２と眼鏡制御回路１４４とを別体の集積回路に分散した構成が採用され得る。
【００１８】
図３は、電気光学装置１０の動作の説明図である。図３に示すように、電気光学装置１０の動作期間は、複数の表示期間Ｐ（右眼用表示期間ＰRおよび左眼用表示期間ＰL）に区分される。右眼用表示期間ＰRでは右眼用画像ＧRが画素部３０に表示され、左眼用表示期間ＰLでは左眼用画像ＧLが画素部３０に表示される。右眼用表示期間ＰRと左眼用表示期間ＰLとは時間軸上に交互に配列する。各表示期間Ｐ（ＰR，ＰL）は、相等しい時間長の２個の単位期間Ｕ（Ｕ1，Ｕ2）に区分される。単位期間Ｕ2は単位期間Ｕ1に後続する。
【００１９】
図１の駆動回路４０は、表示制御回路１４２から供給される画像信号ＶIDが各画素ＰIXに指定する階調（以下「指定階調」という）に応じた電圧を各画素ＰIXの液晶素子ＣLに印加する回路であり、走査線駆動回路４２と信号線駆動回路４４とを具備する。
【００２０】
走査線駆動回路４２は、各走査線３２に対応する走査信号Ｙ[1]〜Ｙ[M]の供給でＭ本の走査線３２の各々を所定の順番で順次に選択する。具体的には、第ｍ行（ｍ＝１〜Ｍ）の走査線３２に供給される走査信号Ｙ[m]は、各表示期間Ｐ内の単位期間Ｕ1および単位期間Ｕ2の各々におけるＭ個の選択期間（水平走査期間）のうち第ｍ番目の選択期間にて選択電位（走査線３２の選択を意味する電位）に設定される。走査線３２が走査信号Ｙ[m]を選択電位に設定すると、第ｍ行に属するＮ個の画素ＰIXの各選択スイッチＳWがオン状態に遷移する。
【００２１】
図１の信号線駆動回路４４は、走査線駆動回路４２による各走査線３２の選択に同期してＮ本の信号線３４の各々に階調電位Ｘ[1]〜Ｘ[N]を供給する。右眼用表示期間ＰRの各単位期間Ｕのうち第ｍ行の走査線３２が選択される選択期間にて第ｎ列目（ｎ＝１〜Ｎ）の信号線３４に供給される階調電位Ｘ[n]は、右眼用画像ＧRのうち第ｍ行の第ｎ列に位置する画素ＰIXの指定階調に応じた電位に設定される。同様に、左眼用表示期間ＰLの各単位期間Ｕのうち第ｍ番目の選択期間では、階調電位Ｘ[n]は、左眼用画像ＧLのうち第ｍ行の第ｎ列に位置する画素ＰIXの指定階調に応じた電位に設定される。
【００２２】
すなわち、右眼用表示期間ＰRでは、右眼用画像ＧRに応じた電圧が単位期間Ｕ毎に各画素ＰIXの液晶素子ＣLに印加されることで各単位期間Ｕにて右眼用画像ＧRが画素部３０に表示され、左眼用表示期間ＰLでは、左眼用画像ＧLに応じた電圧が単位期間Ｕ毎に各画素ＰIXの液晶素子ＣLに印加されることで各単位期間Ｕにて左眼用画像ＧLが画素部３０に表示される。
【００２３】
また、駆動回路４０は、各画素ＰIXの液晶素子ＣLの印加電圧の極性を周期的に反転させる。具体的には、図３に示すように、駆動回路４０は、液晶素子ＣLに対する印加電圧の極性（例えば階調電位Ｘ[n]の極性）を単位期間Ｕ毎に順次に反転させる。すなわち、各表示期間Ｐ内の単位期間Ｕ1と単位期間Ｕ2とで各画素ＰIXの印加電圧は逆極性に設定される。例えば、液晶素子ＣLに対する印加電圧の極性は、各表示期間Ｐの単位期間Ｕ1にて正極性（例えば画素電極６２の電位が共通電極６４の電位を上回る状態）に設定され、各表示期間Ｐの単位期間Ｕ2にて負極性（例えば画素電極６２の電位が共通電極６４の電位を下回る状態）に設定される。
【００２４】
図１の制御回路１４の表示制御回路１４２は、駆動回路４０にオーバードライブ（ＯＤ）を実行させる処理回路５０を具備する。図４は、処理回路５０のブロック図である。図４に示すように、右眼用画像ＧRまたは左眼用画像ＧLの各階調を指定する階調データＤC[m,n]（ＤC[1,1]〜ＤC[M,N]）が各表示期間Ｐの単位期間Ｕ毎に外部回路（図示略）から処理回路５０に順次に供給される。１個の表示期間Ｐ（ＰR，ＰL）内の単位期間Ｕ1および単位期間Ｕ2の各々に対応する階調データＤC[m,n]は共通する。処理回路５０に供給される最新の階調データＤC[m,n]に対応する１個の表示期間Ｐを以下では「着目表示期間Ｐ」と表記する。なお、表示制御回路１４２内の他の回路による処理後の階調データＤC[m,n]を処理回路５０に供給することも可能である。
【００２５】
図４に示すように、処理回路５０は、記憶部５２とＯＤ（オーバードライブ）制御部５４とＤ/Ａ変換部５６とを具備する。記憶部５２は、着目表示期間Ｐの直前の表示期間Ｐ（以下「直前表示期間Ｐ」という）の単位期間Ｕ2に対応する１画面分の階調データＤC[m,n]を階調データＤP[m,n]（ＤP[1,1]〜ＤP[M,N]）として記憶するフレームメモリである。記憶部５２が保持する階調データＤP[m,n]は、表示期間Ｐ毎に順次に更新される。すなわち、右眼用表示期間ＰRの各単位期間Ｕ（Ｕ1，Ｕ2）に対応する右眼用画像ＧRの各階調データＤC[m,n]が処理回路５０に供給される期間では、直前の左眼用表示期間ＰLの単位期間Ｕ2（または単位期間Ｕ1）に対応する左眼用画像ＧLの各階調データＤP[m,n]が記憶部５２に保持されている。同様に、左眼用表示期間ＰLの各単位期間Ｕ（Ｕ1，Ｕ2）に対応する左眼用画像ＧLの各階調データＤC[m,n]が処理回路５０に供給される期間では、直前の右眼用表示期間ＰRの単位期間Ｕ2（または単位期間Ｕ1）に対応する右眼用画像ＧRの各階調データＤP[m,n]が記憶部５２に保持されている。
【００２６】
図４のＯＤ制御部５４は、着目表示期間Ｐでの表示画像（右眼用画像ＧRおよび左眼用画像ＧLの一方の階調データＤC[m,n]）と直前表示期間Ｐでの表示画像（右眼用画像ＧRおよび左眼用画像ＧLの他方の階調データＤP[m,n]）とに応じた補正量のオーバードライブを、各表示期間Ｐの単位期間Ｕ1および単位期間Ｕ2の双方にて駆動回路４０に実行させる。図４に示すように、第１実施形態のＯＤ制御部５４は、補正値設定部５４２と補正処理部５４４とを含んで構成される。
【００２７】
補正値設定部５４２は、外部回路から供給される着目表示期間Ｐの各階調データＤC[m,n]と記憶部５２に保持された直前表示期間Ｐの各階調データＤP[m,n]とに応じて単位期間Ｕ毎に各画素ＰIXの補正値Ａ[m,n]（Ａ[1,1]〜Ａ[M,N]）を設定する。補正値Ａ[m,n]は、駆動回路４０が実行するオーバードライブによる各画素ＰIXの印加電圧の増加分を規定する。具体的には、階調データＤC[m,n]と階調データＤP[m,n]との相違が大きい（すなわち直前表示期間Ｐと着目表示期間Ｐとの間で画素ＰIXの階調変化が大きい）ほど補正値Ａ[m,n]は大きい数値に設定され、階調データＤC[m,n]と階調データＤP[m,n]とが合致する場合に補正値Ａ[m,n]はゼロ（オーバードライブなし）に設定される。階調データＤC[m,n]および階調データＤP[m,n]の差分値と補正値Ａ[m,n]の各数値とを対応させたルックアップテーブルが補正値設定部５４２として好適に採用される。
【００２８】
補正処理部５４４は、外部回路から供給される各画素ＰIXの各階調データＤC[m,n]を、補正値設定部５４２がその画素ＰIXについて設定した補正値Ａ[m,n]に応じて補正することで階調データＤA[m,n]（ＤA[1,1]〜ＤA[M,N]）を生成する。例えば、階調データＤC[m,n]と補正値Ａ[m,n]とを加算して階調データＤA[m,n]を生成する加算回路が補正処理部５４４として採用され得る。以上の説明から理解されるように、階調データＤC[m,n]と階調データＤP[m,n]とが合致する画素ＰIXについて補正値Ａ[m,n]を算定しない構成（階調データＤC[m,n]を補正なしで階調データＤA[m,n]として出力する構成）も採用され得る。Ｄ/Ａ変換部５６は、補正処理部５４４が順次に生成する各画素ＰIXの階調データＤA[m,n]をアナログの画像信号ＶIDに変換して駆動回路４０（信号線駆動回路４４）に供給する。
【００２９】
以上に説明したように、着目表示期間Ｐの単位期間Ｕ1の階調データＤC[m,n]と直前表示期間Ｐ（単位期間Ｕ2）の階調データＤP[m,n]とに応じた階調データＤA[m,n]が単位期間Ｕ1について生成され、かつ、着目表示期間Ｐの単位期間Ｕ2の階調データＤC[m,n]と直前表示期間Ｐ（単位期間Ｕ2）の階調データＤP[m,n]とに応じた階調データＤA[m,n]が単位期間Ｕ2について生成される。したがって、着目表示期間Ｐの表示画像と直前表示期間Ｐの表示画像との差異に応じた補正量のオーバードライブが、着目表示期間Ｐ内の単位期間Ｕ1および単位期間Ｕ2の双方で駆動回路４０により実行される。
【００３０】
すなわち、第１実施形態では、各表示期間Ｐ（ＰR，ＰL）内で液晶素子ＣLに逆極性の電圧が印加される単位期間Ｕ1および単位期間Ｕ2の双方において各画素ＰIXに対するオーバードライブが実行される。したがって、各表示期間Ｐの単位期間Ｕ1のみでオーバードライブを実行する対比例と比較して、単位期間Ｕ1と単位期間Ｕ2とにおける液晶素子ＣLの印加電圧の相違が低減され、直流成分の印加に起因した液晶６６の特性劣化を抑制できる（ひいては装置の信頼性が向上する）という利点がある。
【００３１】
図１の制御回路１４の眼鏡制御回路１４４は、立体視用眼鏡２０の右眼用シャッター２２および左眼用シャッター２４の各々の状態（開状態／閉状態）を電気光学パネル１２の動作に同期して制御する。具体的には、眼鏡制御回路１４４は、図３に示すように、各表示期間Ｐ（ＰR，ＰL）内の単位期間Ｕ1にて右眼用シャッター２２および左眼用シャッター２４の双方を閉状態に制御する。また、眼鏡制御回路１４４は、右眼用表示期間ＰR内の単位期間Ｕ2にて右眼用シャッター２２を開状態に制御するとともに左眼用シャッター２４を閉状態に制御し、左眼用表示期間ＰL内の単位期間Ｕ2にて左眼用シャッター２４を開状態に制御するとともに右眼用シャッター２２を閉状態に制御する。
【００３２】
したがって、右眼用表示期間ＰR内の単位期間Ｕ2で画素部３０に表示される右眼用画像ＧRは右眼用シャッター２２を透過して観察者の右眼に到達するとともに左眼用シャッター２４で遮断される。他方、左眼用表示期間ＰL内の単位期間Ｕ2で画素部３０に表示される左眼用画像ＧLは左眼用シャッター２４を透過して観察者の左眼に到達するとともに右眼用シャッター２２で遮断される。右眼用シャッター２２を透過した右眼用画像ＧRを右眼で視認するとともに左眼用シャッター２４を透過した左眼用画像ＧLを左眼で視認することで、観察者は表示画像に立体感を知覚する。
【００３３】
右眼用表示期間ＰR内の単位期間Ｕ1では、直前の左眼用表示期間ＰL（単位期間Ｕ2）で表示された左眼用画像ＧLが行単位で順次に右眼用画像ＧRに更新され、左眼用表示期間ＰLの単位期間Ｕ1では、直前の右眼用表示期間ＰR（単位期間Ｕ2）で表示された右眼用画像ＧRが行単位で順次に左眼用画像ＧLに更新される。すなわち、各表示期間Ｐ内の単位期間Ｕ1では右眼用画像ＧRと左眼用画像ＧLとが混在する。第１実施形態では、各表示期間Ｐの単位期間Ｕ1では右眼用シャッター２２および左眼用シャッター２４の双方が閉状態に維持されるから、右眼用画像ＧRと左眼用画像ＧLとの混在（クロストーク）は観察者に知覚されない。すなわち、右眼用画像ＧRと左眼用画像ＧLとが確実に右眼および左眼に分離されるから、観察者に明確な立体感を知覚させることが可能である。
【００３４】
＜第２実施形態＞
本発明の第２実施形態を以下に説明する。なお、以下に例示する各形態において作用や機能が第１実施形態と同等である要素については、以上の説明で参照した符号を流用して各々の詳細な説明を適宜に省略する。
【００３５】
図５は、第２実施形態における処理回路５０のブロック図である。図５に示すように、第２実施形態の処理回路５０は、第１実施形態の処理回路５０に調整値設定部５８を追加した構成である。なお、各表示期間Ｐ（ＰR，ＰL）内で液晶素子ＣLに逆極性の電圧を印加する単位期間Ｕ1および単位期間Ｕ2の双方にて各画素ＰIXのオーバードライブを実行する構成は第１実施形態と同様である。したがって、第２実施形態においても第１実施形態と同様の効果が実現される。
【００３６】
図５の調整値設定部５８は、相異なる走査線３２に対応するＭ個の調整値Ｂ[m]（Ｂ[1]〜Ｂ[M]）を設定する。第２実施形態の補正処理部５４４は、補正値設定部５４２が設定した補正値Ａ[m,n]と調整値設定部５８が設定した調整値Ｂ[m]とに応じて各画素ＰIXの各階調データＤC[m,n]を補正することで階調データＤA[m,n]（ＤA[1,1]〜ＤA[M,N]）を生成する。例えば、補正処理部５４４は、第ｍ行の各画素ＰIXの補正値Ａ[m,n]と第ｍ行の調整値Ｂ[m]との乗算値を階調データＤC[m,n]に加算することで階調データＤA[m,n]を生成する（ＤA[m,n]＝ＤC[m,n]＋Ａ[m,n]・Ｂ[m]）。したがって、階調データＤC[m,n]および補正値Ａ[m,n]を固定した場合を想定すると、調整値Ｂ[m]が大きい走査線３２に対応する画素ＰIXほど、補正量が大きい（すなわち印加電圧の増加分が大きい）オーバードライブが実行される。
【００３７】
ところで、第１実施形態や第２実施形態のように各表示期間Ｐ内の単位期間Ｕ1および単位期間Ｕ2の双方でオーバードライブを実行する構成では、液晶素子ＣLに対する過剰な電圧の印加を防止する観点から、単位期間Ｕ1のみでオーバードライブを実行する対比例と比較して、各単位期間Ｕでのオーバードライブによる印加電圧の増加分を抑制する必要がある。しかし、オーバードライブによる電圧の増加分を抑制した場合、液晶６６の応答速度が充分に確保されない可能性がある。そして、液晶６６の応答速度が不足する場合、各表示期間Ｐ内の単位期間Ｕ2が開始して時点でも各画素ＰIXの表示階調の変化が完了せず、右眼用画像ＧRと左眼用画像ＧLとの混在（クロストーク）が単位期間Ｕ2にて観察者に知覚される可能性がある。単位期間Ｕ1内で選択される順番が遅い走査線３２（すなわち第Ｍ行に近い走査線３２）に対応する画素ＰIXほど、階調電位Ｘ[n]の供給（液晶６６の駆動開始）から単位期間Ｕ2の開始までの時間が短い。したがって、画素部３０のうち最後に選択される第Ｍ行の走査線３２に近い位置ほどクロストークが顕在化し易いという傾向がある。
【００３８】
以上の傾向を考慮して、第２実施形態では、階調データＤC[m,n]および補正値Ａ[m,n]（階調データＤC[m,n]と階調データＤP[m,n]との差分値）が複数の画素ＰIXについて共通する場合でも、画素部３０のうち第Ｍ行に近い画素ＰIXほど補正量が大きい（すなわち印加電圧の増加分が大きい）オーバードライブが実行されるように、調整値設定部５８が各調整値Ｂ[m]（Ｂ[1]〜Ｂ[M]）を設定する。具体的には、Ｍ本の走査線３２のうち第Ｍ行に近い位置の走査線３２に対応する調整値Ｂ[m]ほど大きい数値（すなわち、オーバードライブによる電圧の増加分を増加させる数値）に設定される。Ｍ本の走査線３２のうち任意の１本の走査線（以下「第１走査線」という）３２と、第１走査線３２の選択後に選択される１本の走査線（以下「第２走査線」という）３２とに着目すると、第２走査線３２に対応する各画素ＰIXに対するオーバードライブの補正量が、第１走査線３２に対応する各画素ＰIXに対するオーバードライブの補正量を上回るように、第２走査線３２の調整値Ｂ[m]が第１走査線３２の調整値Ｂ[m]よりも大きい数値に設定される、とも表現され得る。また、液晶６６の応答速度に着目すると、Ｍ本の走査線３２のうち最後に選択される第Ｍ行に近い位置の液晶６６ほど応答速度が高くなるように各調整値Ｂ[m]が設定される、と換言することも可能である。
【００３９】
図５に示すように、第２実施形態の調整値設定部５８は、記憶部５８２と補間部５８４とを含んで構成される。記憶部５８２は、図６に示すように、画素部３０内でｙ方向の相異なる位置（行）Ｒyに対応するＱ個の調整値Ｃ[q]（Ｃ[1]〜Ｃ[Q]）を記憶する。記憶部５８２は、例えばＲＯＭ（Read Only Memory）やＥＰＲＯＭ（Erasable Programmable ROM）等の不揮発性メモリで構成される。記憶部５８２が記憶する調整値Ｃ[q]の個数Ｑは走査線３２の本数Ｍを下回る。例えば画素部３０をｙ方向にＱ等分した領域毎に調整値Ｃ[q]が用意される。
【００４０】
図５の補間部５８４は、記憶部５８２が記憶するＱ個の調整値Ｃ[1]〜Ｃ[Q]を補間することで、相異なる走査線３２に対応するＭ個の調整値Ｂ[1]〜Ｂ[M]を生成する。補間部５８４による補間には、直線補間等の公知の補間演算が任意に採用される。以上の説明から理解されるように、記憶部５８２が記憶するＱ個の調整値Ｃ[1]〜Ｃ[Q]のうちｙ方向の正側にある位置Ｒy（すなわち第Ｍ行に近い位置Ｒy）に対応する調整値Ｃ[q]ほど大きい数値に設定される。補間部５８４が生成した各調整値Ｂ[m]が補正処理部５４４による階調データＤA[m,n]の生成に適用される。
【００４１】
以上に説明したように、第２実施形態では、着目表示期間Ｐでの表示画像における指定階調（階調データＤC[m,n]）と直前表示期間Ｐでの表示画像における指定階調（階調データＤP[m,n]）とが共通する複数の画素ＰIXに着目した場合に、画素部３０のうち走査線駆動回路４２による選択が遅い画素ＰIX（第Ｍ行に近い画素ＰIX）ほどオーバードライブの補正量が大きい電圧に設定される。したがって、液晶素子ＣLに対する過剰な電圧の印加を抑制する観点から表示期間Ｐ内の各単位期間Ｕでのオーバードライブによる印加電圧の増加分を抑制した場合でも、表示画像のクロストークが観察者に知覚され難いという利点がある。
【００４２】
また、記憶部５８２に保持されたＱ個の調整値Ｃ[1]〜Ｃ[Q]の補間により行毎の調整値Ｂ[1]〜Ｂ[M]が算定されるから、例えばＭ個の調整値Ｂ[1]〜Ｂ[M]を記憶部５８２に格納する構成と比較して、記憶部５８２に必要な容量が削減されるという利点がある。もっとも、記憶部５８２の容量が特段の問題とならない場合には、調整値設定部５８がＭ個の調整値Ｂ[1]〜Ｂ[M]を予め保持する構成（すなわち補間部５８４を省略した構成）も採用され得る。
【００４３】
＜第３実施形態＞
第１実施形態では、各表示期間Ｐの単位期間Ｕ1と単位期間Ｕ2とでオーバードライブの補正量（強度）を同等に設定した。第３実施形態のＯＤ制御部５４は、各単位期間Ｕ1でのオーバードライブの補正量が直後の単位期間Ｕ2でのオーバードライブの補正量を上回るように駆動回路４０を制御する。
【００４４】
例えば補正値設定部５４２は、階調データＤC[m,n]および階調データＤP[m,n]の差分値と補正値Ａ[m,n]の各数値とを対応させたルックアップテーブルを単位期間Ｕ1と単位期間Ｕ2とについて個別に保持する。各差分値に対応する補正値Ａ[m,n]の数値は、単位期間Ｕ1用のルックアップテーブルのほうが単位期間Ｕ2用のルックアップテーブルよりも大きい数値に設定される。補正値設定部５４２は、単位期間Ｕ1に対応する階調データＤC[m,n]については単位期間Ｕ1用のルックアップテーブルを利用して補正値Ａ[m,n]を設定し、単位期間Ｕ2に対応する階調データＤC[m,n]については単位期間Ｕ2用のルックアップテーブルを利用して補正値Ａ[m,n]を設定する。
【００４５】
以上に説明した第３実施形態では、単位期間Ｕ1でのオーバードライブの強度（補正量）が単位期間Ｕ2でのオーバードライブの強度を上回るから、表示期間Ｐ内の単位期間Ｕ1では、単位期間Ｕ2内と比較して液晶素子ＣLの液晶６６が高速に応答する。したがって、単位期間Ｕ1と単位期間Ｕ2とで同等のオーバードライブを実行する第１実施形態と比較して、表示画像のクロストークが観察者に知覚され難いという利点がある。
【００４６】
なお、第３実施形態では、単位期間Ｕ1でのオーバードライブが単位期間Ｕ2と比較して強化されるから、液晶素子ＣLに対する印加電圧は単位期間Ｕ1と単位期間Ｕ2とで相違する。しかし、各表示期間Ｐ内の単位期間Ｕ1のみでオーバードライブを実行する構成と比較すれば、液晶素子ＣLに対する直流成分の印加を抑制するという所期の効果は確かに実現される。以上の説明からも理解されるように、液晶素子ＣLに対する直流成分の印加を有効に抑制するという観点からは、第１実施形態や第２実施形態のように、単位期間Ｕ1と単位期間Ｕ2とでオーバードライブの補正量を同等に設定した構成が好適である。
【００４７】
＜変形例＞
以上の各形態は多様に変形され得る。具体的な変形の態様を以下に例示する。以下の例示から任意に選択された２以上の態様は、相互に矛盾しない範囲内で適宜に併合され得る。
【００４８】
（１）ＯＤ制御部５４の具体的な構成は適宜に変更される。具体的には、第１実施形態では、補正値設定部５４２と補正処理部５４４とを具備するＯＤ制御部５４を例示したが、例えば、階調データＤC[m,n]および階調データＤP[m,n]の組合せ（両者間の差分値）と補正後の階調データＤA[m,n]とを対応させたルックアップテーブルをＯＤ制御部５４として採用した構成（すなわち補正値Ａ[m,n]を省略した構成）も好適である。すなわち、前述の各形態のＯＤ制御部５４は、各表示期間Ｐの単位期間Ｕ1および単位期間Ｕ2の双方で駆動回路４０に各画素ＰIXのオーバードライブを実行させる要素として包括される。
【００４９】
（２）液晶素子ＣLに対する印加電圧の極性反転の態様は以上の例示に限定されない。例えば、液晶素子ＣLの印加電圧の極性を、各表示期間Ｐの単位期間Ｕ1にて負極性に設定するとともに単位期間Ｕ2にて正極性に設定することも可能である。また、単位期間Ｕ1および単位期間Ｕ2での液晶素子ＣLの印加電圧の極性を、所定個（単数または複数）の表示期間Ｐを周期として反転させる構成も採用され得る。
【００５０】
（３）以上の各形態では各表示期間Ｐを単位期間Ｕ1と単位期間Ｕ2とに２等分したが、表示期間Ｐ内の単位期間Ｕの個数は任意である。例えば、表示期間Ｐを４個の単位期間Ｕに区分するとともに前半の２個の単位期間Ｕと後半の２個の単位期間Ｕとで液晶素子ＣLの印加電圧を逆極性に設定することも可能である。以上の例示から理解されるように、表示期間Ｐのうち各画素ＰIXの印加電圧が逆極性に設定される２個の単位期間Ｕ1に着目した場合に単位期間Ｕ1と単位期間Ｕ2の双方でオーバードライブを実行する構成であれば足り、表示期間Ｐ内の単位期間Ｕの個数は任意である。
【００５１】
（４）第２実施形態では、選択時期が遅い走査線３２に対応する画素ＰIXほど補正量が大きいオーバードライブを、各表示期間Ｐ内の単位期間Ｕ1および単位期間Ｕ2の双方に適用した。しかし、表示画像のクロストークが特に顕在化するのは、右眼用画像ＧRおよび左眼用画像ＧLの一方が他方に更新される単位期間Ｕ1であるから、選択時期が遅い走査線３２に対応する画素ＰIXほどオーバードライブの補正量を大きい電圧に設定する動作を、各表示期間Ｐ内の単位期間Ｕ1のみで実行することも可能である。すなわち、各表示期間Ｐの単位期間Ｕ2では、オーバードライブによる補正量が各画素ＰIXのｙ方向の位置（走査線３２の選択時期）とは無関係に設定される。
【００５２】
（５）前述の各形態では、右眼用表示期間ＰRの単位期間Ｕ1の終点にて右眼用シャッター２２を閉状態から開状態に変化させたが、右眼用シャッター２２を閉状態から開状態に変化させる時期は適宜に変更される。例えば、右眼用表示期間ＰRの単位期間Ｕ1の終点以前に右眼用シャッター２２を開状態に変化させる構成では、単位期間Ｕ1内での右眼用画像ＧRと左眼用画像ＧLとの混在が観察者に若干は知覚されるが、表示画像の明度を向上させることが可能である。他方、右眼用表示期間ＰRの単位期間Ｕ1の終点以降の時点で右眼用シャッター２２を開状態に変化させる構成では、表示画像の明度は低下するが、右眼用画像ＧRと左眼用画像ＧLとの混在が観察者に知覚されることを確実に防止することが可能である。同様に、右眼用シャッター２２を開状態から閉状態に変化させる時期を、右眼用表示期間ＰRの単位期間Ｕ2の終点以前に設定した構成（表示画像の明度は低下するが右眼用画像ＧRと左眼用画像ＧLとの混在は防止される）や、右眼用表示期間ＰRの単位期間Ｕ2の終点以降に設定した構成（左眼用表示期間ＰLの単位期間Ｕ1内で右眼用画像ＧRと左眼用画像ＧLとの若干の混在は知覚されるが表示画像の明度は向上する）も採用され得る。また、右眼用画像ＧRと左眼用画像ＧLとの混在が観察者に知覚され難い開閉の時期は、右眼用シャッター２２および左眼用シャッター２４の応答特性と電気光学パネル１２（液晶素子ＣL）の応答特性との関係にも依存する。したがって、右眼用シャッター２２を閉状態から開状態に変化させる時期や開状態から閉状態に変化させる時期は、右眼用画像ＧRと左眼用画像ＧLとの混在を観察者に知覚されることの防止と表示画像の明度の確保との優先度（バランス）や、立体視用眼鏡２０の応答特性と電気光学パネル１２の応答特性との関係といった種々の要因を考慮して選定される。なお、以上の説明では右眼用シャッター２２に言及したが、左眼用シャッター２４の開閉の時期についても同様である。
【００５３】
以上の説明から理解されるように、右眼用シャッター２２が開状態に維持される期間は、右眼用表示期間ＰRのうち単位期間Ｕ2の少なくとも一部を含む期間（直前の単位期間Ｕ1の末尾の一部を含むか否かは不問）として包括される。同様に、左眼用シャッター２４が開状態に維持される期間は、左眼用表示期間ＰLのうち単位期間Ｕ2の少なくとも一部を含む期間（直前の単位期間Ｕ1の末尾の一部を含むか否かは不問）として包括される。また、右眼用シャッター２２および左眼用シャッター２４の双方が閉状態に制御される期間は、各表示期間Ｐ（ＰR，ＰL）のうち単位期間Ｕ1の少なくとも一部を含む期間（直後の単位期間Ｕ2の先頭の一部を含むか否かは不問）として包括される。
【００５４】
（６）電気光学素子（表示素子）は液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００５５】
＜応用例＞
以上の各形態に例示した電気光学装置１０は、各種の電子機器に利用され得る。図７から図９には、電気光学装置１０を採用した電子機器の具体的な形態が例示されている。
【００５６】
図７は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０（図７では図示略）で視認する。
【００５７】
図８は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【００５８】
図９は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００５９】
なお、本発明に係る電気光学装置が適用される電子機器としては、図７から図９に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００６０】
１００……立体視表示装置、１０……電気光学装置、１２……電気光学パネル、１４……制御回路、１４２……表示制御回路、１４４……眼鏡制御回路、２０……立体視用眼鏡、２２……右眼用シャッター、２４……左眼用シャッター、３０……画素部、ＰIX……画素、ＣL……液晶素子、ＳW……選択スイッチ、３２……走査線、３４……信号線、４０……駆動回路、４２……走査線駆動回路、４４……信号線駆動回路、５０……処理回路、５２……記憶部、５４……ＯＤ（オーバードライブ）制御部、５４２……補正値設定部、５４４……補正処理部、５６……Ｄ/Ａ変換部、５８……調整値設定部、５８２……記憶部、５８４……補間部。
【図１】
2013064920.tif 000003
【図２】
2013064920.tif 000004
【図３】
2013064920.tif 000005
【図４】
2013064920.tif 000006
【図５】
2013064920.tif 000007
【図６】
2013064920.tif 000008
【図７】
2013064920.tif 000009
【図８】
2013064920.tif 000010
【図９】
2013064920.tif 000011
【図１０】
2013064920.tif 000012